(57)【要約】【課題】  光源装置に充分に安定した強度を有する光を射出させることのできる技術を提供する。【解決手段】  光源装置を制御するための制御装置は、光センサであって、光源装置から射出されて光センサに入射する光の強度を検出する光センサと、光センサの温度を検出する温度センサと、光センサの検出結果を、温度センサの検出結果を用いて補正することによって、補正済みの光強度を求める補正部と、補正済み光強度が目標光強度と等しくなるように、光源装置から射出される光の強度を調整する調整部と、を備える。【選択図】図２
2008034190.tif 000002
【特許請求の範囲】
【請求項１】
光源装置を制御するための制御装置であって、
光センサであって、前記光源装置から射出されて前記光センサに入射する光の強度を検出する前記光センサと、
前記光センサの温度を検出する温度センサと、
前記光センサの検出結果を、前記温度センサの検出結果を用いて補正することによって、補正済みの光強度を求める補正部と、
前記補正済み光強度が目標光強度と等しくなるように、前記光源装置から射出される光の強度を調整する調整部と、
を備えることを特徴とする制御装置。
【請求項２】
請求項１記載の制御装置であって、
前記調整部は、前記光源装置に印加される電圧を調整することによって、前記光源装置から射出される光の強度を調整する、制御装置。
【請求項３】
請求項２記載の制御装置であって、
前記調整部は、
前記補正済み光強度と前記目標光強度とを比較する比較部と、
前記比較部の比較結果に応じたデューティ比を有するパルス幅変調信号を生成するパルス幅変調信号生成部と、
前記パルス幅変調信号を平滑化して、前記光源装置に印加される前記電圧を生成する印加電圧生成部と、
を備える、制御装置。
【請求項４】
請求項３記載の制御装置であって、
前記補正部は、
前記光センサの検出結果をアナログ−デジタル変換する第１のアナログデジタル変換器と、
前記温度センサの検出結果をアナログ−デジタル変換する第２のアナログデジタル変換器と、
を備え、
前記補正部は、デジタル形式で表された前記光センサの検出結果を、デジタル形式で表された前記温度センサの検出結果を用いて補正することによって、デジタル形式で表された前記補正済み光強度を求め、
前記比較部は、前記デジタル形式で表された補正済み光強度と、デジタル形式で表された前記目標光強度と、を比較する、制御装置。
【請求項５】
請求項１ないし４のいずれかに記載の制御装置であって、さらに、
ユーザからの指示に応じて前記目標光強度を設定するための目標光強度設定部を備える、制御装置。
【請求項６】
請求項１ないし４のいずれかに記載の制御装置であって、
前記制御装置は、画像データに応じて画像を表示する画像表示装置に利用可能であり、
前記制御装置は、さらに、
前記画像データを解析する解析部と、
前記解析部の解析結果に応じて、前記画像データに含まれる複数の画素データの階調値を増大させる階調値増大部と、
前記階調値が増大する程、前記光源装置から射出される光の強度が低減されるように、前記解析部の解析結果に応じて、前記目標光強度を変更するための目標光強度変更部と、
を備える、制御装置。
【請求項７】
画像表示装置であって、
前記光源装置と、
請求項１ないし６のいずれかに記載の前記制御装置と、
画像データに応じて、前記光源装置から射出される光を変調するための光変調装置と、
を備えることを特徴とする画像表示装置。
【請求項８】
画像表示装置であって、
それぞれ異なる色の色光を射出する複数の前記光源装置と、
前記複数の光源装置を制御するための請求項１ないし６のいずれかに記載の前記制御装置と、
画像データに含まれる複数の色データに応じて、前記複数の光源装置から射出される複数の色光を変調するための少なくとも１つの光変調装置と、
を備えることを特徴とする画像表示装置。
【発明の詳細な説明】
【技術分野】
【０００１】
この発明は、光源装置を制御する技術に関する。
【背景技術】
【０００２】
画像表示装置は、通常、光源装置と、画像データに応じて光源装置から射出される光を変調する光変調装置と、を備えている。
【０００３】
光源装置から射出される光の強度が安定していない場合には、表示される画像の明るさや色調が変化してしまう。このため、安定した画像を表示するためには、光源装置から安定した強度を有する光が射出される必要がある。
【０００４】
なお、特許文献１では、カラー光源（ＬＥＤ）の輝度レベルを検出する光センサの検出値を用いて、カラー光源に流れる電流を制御するアナログ回路が開示されている。
【０００５】
【特許文献１】特開平１０−４９０７４号公報
【発明の開示】
【発明が解決しようとする課題】
【０００６】
しかしながら、従来の技術では、光源装置から射出される光の強度は充分に安定していなかった。
【０００７】
なお、上記の問題は、画像表示装置に限らず、光源装置を備える種々の装置に共通する問題である。
【０００８】
この発明は、従来技術における上述の課題を解決するためになされたものであり、光源装置に充分に安定した強度を有する光を射出させることを目的とする。
【課題を解決するための手段】
【０００９】
上述の課題の少なくとも一部を解決するため、本発明の第１の装置は、光源装置を制御するための制御装置であって、
光センサであって、前記光源装置から射出されて前記光センサに入射する光の強度を検出する前記光センサと、
前記光センサの温度を検出する温度センサと、
前記光センサの検出結果を、前記温度センサの検出結果を用いて補正することによって、補正済みの光強度を求める補正部と、
前記補正済み光強度が目標光強度と等しくなるように、前記光源装置から射出される光の強度を調整する調整部と、
を備えることを特徴とする。
【００１０】
光センサは温度依存性を有するため、光センサの検出結果は、その温度に応じて変化する。しかしながら、この装置では、光センサの検出結果を温度センサの検出結果を用いて補正することによって補正済みの光強度が求められる。そして、該補正済みの光強度を用いることにより、光源装置から射出される光の強度を適切に調整することができ、この結果、光源装置に充分に安定した強度を有する光を射出させることができる。
【００１１】
上記の装置において、
前記調整部は、前記光源装置に印加される電圧を調整することによって、前記光源装置から射出される光の強度を調整することが好ましい。
【００１２】
このように、光源装置に印加される電圧を調整すれば、光源装置に供給される電流が調整される場合と比較して、比較的簡単な構成で制御装置を構成することができる。
【００１３】
上記の装置において、
前記調整部は、
前記補正済み光強度と前記目標光強度とを比較する比較部と、
前記比較部の比較結果に応じたデューティ比を有するパルス幅変調信号を生成するパルス幅変調信号生成部と、
前記パルス幅変調信号を平滑化して、前記光源装置に印加される前記電圧を生成する印加電圧生成部と、
を備えるようにしてもよい。
【００１４】
こうすれば、光源装置に印加されるべき電圧を容易に生成することができる。
【００１５】
上記の装置において、
前記補正部は、
前記光センサの検出結果をアナログ−デジタル変換する第１のアナログデジタル変換器と、
前記温度センサの検出結果をアナログ−デジタル変換する第２のアナログデジタル変換器と、
を備え、
前記補正部は、デジタル形式で表された前記光センサの検出結果を、デジタル形式で表された前記温度センサの検出結果を用いて補正することによって、デジタル形式で表された前記補正済み光強度を求め、
前記比較部は、前記デジタル形式で表された補正済み光強度と、デジタル形式で表された前記目標光強度と、を比較するようにしてもよい。
【００１６】
このように、補正済み光強度がデジタル形式で表されれば、デジタル形式で表された目標光強度を利用することができ、この結果、目標光強度の設定の自由度を高めることができる。
【００１７】
上記の装置において、さらに、
ユーザからの指示に応じて前記目標光強度を設定するための目標光強度設定部を備えるようにしてもよい。
【００１８】
こうすれば、光源装置にユーザの意図に整合する強度を有する光を射出させることができる。また、この制御装置が画像表示装置に適用される場合には、ユーザの意図に整合する画像を表示させることができる。
【００１９】
あるいは、上記の装置において、
前記制御装置は、画像データに応じて画像を表示する画像表示装置に利用可能であり、
前記制御装置は、さらに、
前記画像データを解析する解析部と、
前記解析部の解析結果に応じて、前記画像データに含まれる複数の画素データの階調値を増大させる階調値増大部と、
前記階調値が増大する程、前記光源装置から射出される光の強度が低減されるように、前記解析部の解析結果に応じて、前記目標光強度を変更するための目標光強度変更部と、
を備えるようにしてもよい。
【００２０】
こうすれば、光源装置の消費電力を低減することができる。
【００２１】
本発明の第２の装置は、画像表示装置であって、
前記光源装置と、
上記のいずれかに記載の前記制御装置と、
画像データに応じて、前記光源装置から射出される光を変調するための光変調装置と、
を備えることを特徴とする。
【００２２】
このように、本発明の第１の装置が第２の装置に適用されれば、光源装置に充分に安定した強度を有する光を射出させることができるため、画像表示装置に充分に安定した明るさを有する画像を表示させることができる。
【００２３】
本発明の第３の装置は、画像表示装置であって、
それぞれ異なる色の色光を射出する複数の前記光源装置と、
前記複数の光源装置を制御するための上記のいずれかに記載の前記制御装置と、
画像データに含まれる複数の色データに応じて、前記複数の光源装置から射出される複数の色光を変調するための少なくとも１つの光変調装置と、
を備えることを特徴とする。
【００２４】
このように、本発明の第１の装置が第３の装置に適用されれば、複数の光源装置に充分に安定した強度を有する複数の色光を射出させることができるため、画像表示装置に充分に安定した明るさおよび色調を有する画像を表示させることができる。
【００２５】
なお、この発明は、光源装置を制御するための制御装置および制御方法、該制御装置を備える画像表示装置およびその制御方法、これらの方法または装置の機能を実現するためのコンピュータプログラム、そのコンピュータプログラムを記録した記録媒体、そのコンピュータプログラムを含み搬送波内に具現化されたデータ信号、等の種々の態様で実現することができる。
【００２６】
例えば、本発明の方法は、光源装置を制御するための制御方法であって、
（ａ）光センサを用いて、前記光源装置から射出されて前記光センサに入射する光の強度を検出する工程と、
（ｂ）温度センサを用いて、前記光センサの温度を検出する工程と、
（ｃ）前記光センサの検出結果を、前記温度センサの検出結果を用いて補正することによって、補正済みの光強度を求める工程と、
（ｄ）前記補正済み光強度が目標光強度と等しくなるように、前記光源装置から射出される光の強度を調整する工程と、
を備えることを特徴とする。
【００２７】
また、本発明のコンピュータプログラムは、光センサであって、光源装置から射出されて前記光センサに入射する光の強度を検出する前記光センサと、前記光センサの温度を検出する温度センサと、を備えるコンピュータに、前記光源装置を制御させるためのコンピュータプログラムであって、
前記光センサの検出結果を、前記温度センサの検出結果を用いて補正することによって、補正済みの光強度を求める機能と、
前記補正済み光強度が目標光強度と等しくなるように、前記光源装置から射出される光の強度を調整する機能と、
を前記コンピュータに実現させることを特徴とする。
【発明を実施するための最良の形態】
【００２８】
次に、本発明の実施の形態を実施例に基づいて以下の順序で説明する。
Ａ．第１実施例：
Ａ−１．プロジェクタの構成：
Ａ−２．制御回路の構成および動作：
Ｂ．第２実施例：
【００２９】
Ａ．第１実施例：
Ａ−１．プロジェクタの構成：
図１は、第１実施例におけるプロジェクタＰＪの概略構成を示す説明図である。プロジェクタＰＪは、３つの照明光学系１１０Ｒ，Ｇ，Ｂと、３つの液晶ライトバルブ１２０Ｒ，Ｇ，Ｂと、クロスダイクロイックプリズム１３０と、投写光学系１４０と、を備えている。また、プロジェクタＰＪは、画像データ処理部１８０と発光制御部１９０とを含む制御回路１７０と、３組の光センサ１９２Ｒ，Ｇ，Ｂおよび温度センサ１９４Ｒ，Ｇ，Ｂと、を備えている。なお、図１では、光学系の図示は、かなり簡略化されている。
【００３０】
画像データ処理部１８０は、液晶ライトバルブ１２０Ｒ，Ｇ，Ｂにアナログ画像データを供給する。アナログ画像データは、赤色、緑色、青色の３つの色データを含んでおり、３つの色データは、３つの液晶ライトバルブ１２０Ｒ，Ｇ，Ｂにそれぞれ供給される。３つの色データは、液晶ライトバルブ１２０Ｒ，Ｇ，Ｂに適した同期信号を利用して生成されており、液晶ライトバルブ１２０Ｒ，Ｇ，Ｂに適した解像度（画素数）を有している。また、画像データ処理部１８０は、３つの液晶ライトバルブ１２０Ｒ，Ｇ，Ｂに同期信号を含む種々のタイミング信号を供給する。
【００３１】
３つの照明光学系１１０Ｒ，Ｇ，Ｂのうち、照明光学系１１０Ｒは赤色光を射出するための赤色光用照明光学系である。また、照明光学系１１０Ｇは緑色光を射出するための緑色光用照明光学系であり、照明光学系１１０Ｂは青色光を射出するための青色光用照明光学系である。３つの照明光学系１１０Ｒ，Ｇ，Ｂは、それぞれ、発光部１０２Ｒ，Ｇ，Ｂを備えている。３つの発光部１０２Ｒ，Ｇ，Ｂはそれぞれ異なる色の色光を射出する発光部であり、本実施例においては、それぞれ、赤色光と緑色光と青色光とを射出する。各発光部１０２Ｒ，Ｇ，Ｂは、例えば、発光ダイオード（ＬＥＤ）を備えている。
【００３２】
３つの液晶ライトバルブ１２０Ｒ，Ｇ，Ｂのうち、液晶ライトバルブ１２０Ｒは照明光学系１１０Ｒから射出された赤色光を変調するための赤色光用液晶ライトバルブである。また、液晶ライトバルブ１２０Ｇは照明光学系１１０Ｇから射出された緑色光を変調するための緑色光用液晶ライトバルブであり、液晶ライトバルブ１２０Ｂは照明光学系１１０Ｂから射出された青色光を変調するための青色光用液晶ライトバルブである。３つの液晶ライトバルブ１２０Ｒ，Ｇ，Ｂは、画像データ処理部１８０から供給された３つの色データを用いて、３つの照明光学系１１０Ｒ，Ｇ，Ｂから射出された３つの色光を変調する。これにより、各液晶ライトバルブ１２０Ｒ，Ｇ，Ｂからは、各色の画像を表す光（画像光）が射出される。
【００３３】
クロスダイクロイックプリズム１３０は、３つの液晶ライトバルブ１２０Ｒ，Ｇ，Ｂから射出された３色の画像光を合成する。投写光学系１４０は、合成済みの画像光をスクリーン上に投写して、スクリーン上にカラー画像（合成済み画像）を形成する。
【００３４】
各光センサ１９２Ｒ，Ｇ，Ｂは、対応する発光部１０２Ｒ，Ｇ，Ｂ付近に設けられている。各光センサ１９２Ｒ，Ｇ，Ｂは、対応する発光部１０２Ｒ，Ｇ，Ｂから射出された光のうち、液晶ライトバルブ１２０Ｒ，Ｇ，Ｂで使用されない一部の光が入射するように配置されている。なお、本実施例では、光センサとして、フォトダイオードが利用されている。光センサに入射する一部の光は、発光部から射出された後に光センサに直接的に入射する光であってもよいし、発光部から射出された後に他の構成部材で反射されて光センサに入射する間接的な光であってもよい。
【００３５】
各温度センサ１９４Ｒ，Ｇ，Ｂは、対応する光センサ１９２Ｒ，Ｇ，Ｂの温度を検出する。なお、本実施例では、温度センサとして、サーマルダイオードが利用されている。本実施例では、各温度センサ１９４Ｒ，Ｇ，Ｂは、対応する光センサ１９２Ｒ，Ｇ，Ｂと同じ半導体基板上に作製されており、該光センサの近傍に配置されている。なお、各温度センサ１９４Ｒ，Ｇ，Ｂは、対応する発光部１０２Ｒ，Ｇ，Ｂから射出された光が入射しないように設けられていることが好ましい。例えば、温度センサと光センサとが同じ半導体基板上に作製される場合には、温度センサに入射し得る光を遮るための遮光手段が設けられていることが好ましい。こうすれば、温度センサへの光の入射に起因する温度センサの誤動作を防止することができる。
【００３６】
なお、図１では、光センサと温度センサとは、対応する発光部から離れた位置に配置されているが、発光部と光センサと温度センサとは、１つのユニットとして構成されていてもよい。
【００３７】
発光制御部１９０は、３つの照明光学系１１０Ｒ，Ｇ，Ｂに含まれる３つの発光部１０２Ｒ，Ｇ，Ｂを制御して、３つの色光を射出させる。
【００３８】
特に、本実施例では、発光制御部１９０は、光センサ１９２Ｒ，Ｇ，Ｂから光検出値を取得すると共に、温度センサ１９４Ｒ，Ｇ，Ｂから温度検出値を取得する。そして、発光制御部１９０は、光検出値と温度検出値とを用いて、各発光部１０２Ｒ，Ｇ，Ｂから射出される光の強度を調整する。
【００３９】
なお、図１では、便宜上、発光部１０２Ｒ，光センサ１９２Ｒ，温度センサ１９４Ｒ，液晶ライトバルブ１２０Ｒと、制御回路１７０と、の間の信号の遣り取りのみが示されているが、他の発光部１０２Ｇ，Ｂ等と制御回路１７０との間でも同様に信号が遣り取りされる。
【００４０】
本実施例における発光部１０２Ｒ，Ｇ，Ｂが本発明における光源装置に相当し、制御回路１７０（より具体的には発光制御部１９０）と光センサ１９２Ｒ，Ｇ，Ｂと温度センサ１９４Ｒ，Ｇ，Ｂとが本発明における制御装置に相当し、液晶ライトバルブ１２０Ｒ，Ｇ，Ｂが本発明における光変調装置に相当する。
【００４１】
Ａ−２．制御回路の構成および動作：
図２は、制御回路１７０の内部構成を示す説明図である。ただし、図２では、発光制御部１９０の内部構成のみが示されている。図示するように、発光制御部１９０は、３つの発光部１０２Ｒ，Ｇ，Ｂに対応する３つの処理部２０２Ｒ，Ｇ，Ｂと、１つの目標光強度設定部２３０と、を備えている。
【００４２】
第１の発光部１０２Ｒに対応する第１の処理部２０２Ｒは、２つのアナログ−デジタル（ＡＤ）変換器２１２，２１４と、補正部２２０と、比較部２４０と、パルス幅変調（ＰＷＭ）信号生成回路２５０と、スイッチング素子２６０と、平滑化回路２７０と、を備えている。なお、図２では、第１の処理部２０２Ｒの構成のみが示されているが、他の処理部２０２Ｇ，Ｂの構成も同様である。以下では、第１の処理部２０２Ｒおよび目標光強度設定部２３０に注目して説明する。
【００４３】
なお、本実施例では、各処理部２０２Ｒ，Ｇ，Ｂに含まれる補正部２２０および比較部２４０の機能と、目標光強度設定部２３０の機能とは、図示しないＣＰＵが図示しないメモリに格納されたコンピュータプログラムを実行することによって実現される。
【００４４】
第１のＡＤ変換器２１２は、光センサ１９２Ｒに接続されており、光センサ１９２Ｒによって検出されたアナログ形式の光検出値をデジタル形式の光検出値に変換する。第２のＡＤ変換器２１４は、温度センサ１９４Ｒに接続されており、温度センサ１９４Ｒによって検出されたアナログ形式の温度検出値をデジタル形式の温度検出値に変換する。
【００４５】
補正部２２０は、第１のＡＤ変換器２１２から取得した光検出値（デジタル形式）を、第２のＡＤ変換器２１４から取得した温度検出値（デジタル形式）を用いて補正して、補正済み光強度値（デジタル形式）を求める。
【００４６】
具体的には、補正部２２０は、予め準備された複数のルックアップテーブル（ＬＵＴ）を備えている。複数のＬＵＴは、複数種の温度値に対応しており、各ＬＵＴには、複数の光検出値に対応して複数の補正済み光強度値が格納されている。補正部２２０は、温度検出値に応じて複数のＬＵＴのうちの１つを選択し、選択された１つのＬＵＴを参照して光検出値に対応する補正済み光強度値を求める。
【００４７】
なお、温度検出値に対応するＬＵＴが存在しない場合には、補間計算によって補正済み光強度値が求められる。具体的には、まず、温度検出値Ｔよりもやや高い第１の温度値Ｔ１に対応する第１のＬＵＴと、温度検出値Ｔよりもやや低い第２の温度値Ｔ２に対応する第２のＬＵＴと、が選択される。次に、第１のＬＵＴを参照することによって光検出値Ｌに対応する第１の参照値（補正済み光強度値）Ｌ１が求められると共に、第２のＬＵＴを参照することによって光検出値Ｌに対応する第２の参照値（補正済み光強度値）Ｌ２が求められる。そして、温度検出値Ｔと各温度値Ｔ１，Ｔ２とに応じて決定される重み付け係数を各参照値Ｌ１，Ｌ２に乗じ、得られた２つの値を加算することによって、補正済みの光強度値が決定される。すなわち、補正済みの光強度値は、例えば、（Ｔ−Ｔ２）／（Ｔ１−Ｔ２）×Ｌ１＋（Ｔ１−Ｔ）／（Ｔ１−Ｔ２）×Ｌ２によって求められる。
【００４８】
ところで、光検出値を温度検出値を用いて補正するのは、光センサ１９２Ｒの温度依存性を考慮するためである。なお、光センサ１９２Ｒの温度は、光センサが動作することによって上昇すると共に、光センサの周囲温度に応じて変化する。
【００４９】
図３は、光センサの温度依存性を示すグラフである。なお、図３のグラフは、光センサが所定の強度を有する光を検出する場合における光センサの温度（℃）と出力（％）との関係を示している。図３では、光センサの温度が２５℃のときの出力（検出値）が１００％として表されている。図３に示すように、光センサの温度が比較的高い場合には、光センサの検出値は比較的大きくなり、光センサの温度が比較的低い場合には、光センサの検出値は比較的小さくなる。
【００５０】
図３の特性を考慮して、本実施例では、上記のように、複数種の温度値に対応する複数のＬＵＴが準備されている。すなわち、比較的高い温度に対応する第１のＬＵＴには、特定の光検出値に対応する補正済み光強度値として、比較的小さな値が設定されている。また、比較的低い温度に対応する第２のＬＵＴには、該特定の光検出値に対応する補正済み光強度値として、比較的大きな値が設定されている。
【００５１】
補正部２２０（図２）は、上記のようにして求められた補正済み光強度値（デジタル形式）を比較部２４０に供給する。
【００５２】
目標光強度設定部２３０は、予め設定された３つの目標光強度値を３つの処理部２０２Ｒ，Ｇ，Ｂに供給する。３つの目標光強度値は、３つの発光部１０２Ｒ，Ｇ，Ｂから射出されるべき３つの光の強度に関係する値、換言すれば、３つの処理部２０２Ｒ，Ｇ，Ｂで得られる３つの補正済み光強度値の目標値を示している。
【００５３】
特に、本実施例では、目標光強度設定部２３０は、ユーザからの指示に応じて３つの目標光強度値を変更可能である。具体的には、目標光強度設定部２３０は、画像データ処理部１８０を介して、液晶ライトバルブ１２０Ｒ，Ｇ，Ｂにユーザインタフェース画面を供給し、プロジェクタＰＪに該画面を表示させる。そして、ユーザインタフェース画面を介して、ユーザによって通常モードが選択された場合には、目標光強度設定部２３０は、３つの目標光強度値を比較的高い値に設定し、ユーザによって省電力モードが選択された場合には、目標光強度設定部２３０は、３つの目標光強度値を比較的低い値に設定する。また、ユーザによって特定の色調モード（例えば赤色が強い色調）が選択された場合には、目標光強度設定部２３０は、特定の発光部（例えば１０２Ｒ）に対応する特定の目標光強度値を比較的高い値に設定する。なお、本実施例では、モード毎に３つの目標光強度値が予め準備されているが、これに代えて、３つの目標光強度値はユーザによって任意に設定されてもよい。
【００５４】
比較部２４０は、補正部２２０から与えられた補正済み光強度値と、目標光強度設定部２３０から与えられた発光部１０２Ｒに対応する目標光強度値と、を比較し、比較結果を出力する。比較結果は、補正済み光強度値と目標光強度値とのうちのいずれが高いかを示すと共に、補正済み光強度値と目標光強度値との差分を示す。
【００５５】
ＰＷＭ信号生成回路２５０は、パルス幅変調（ＰＷＭ）信号Ｓ１を生成する回路であり、比較部２４０から与えられた比較結果に応じて、ＰＷＭ信号のデューティ比を変更する。具体的には、ＰＷＭ信号生成回路２５０は、補正済み光強度値が目標光強度値よりも低い場合には、補正済み光強度値と目標光強度値との差分に応じてデューティ比を増大させる。一方、ＰＷＭ信号生成回路は、補正済み光強度値が目標光強度値よりも高い場合には、補正済み光強度値と目標光強度値との差分に応じてデューティ比を低減させる。デューティ比の変化量は、差分が大きい程、大きく設定される。
【００５６】
スイッチング素子２６０は、トランジスタを含んでいる。トランジスタのゲート端子Ｇには、ＰＷＭ信号Ｓ１が与えられており、ドレイン端子Ｄには、所定の電圧Ｖ0が与えられており、ソース端子Ｓには、平滑化回路２７０が接続されている。なお、所定の電圧Ｖ0は、発光部１０２Ｒの電気特性（例えば順電圧）に応じて決定される。スイッチング素子２６０は、ＰＷＭ信号Ｓ１に応じてオン状態とオフ状態とに切り替えられ、この結果、ＰＷＭ信号Ｓ２が出力される。
【００５７】
平滑化回路２７０は、ダイオード２７２と、インダクタ２７４と、コンデンサ２７６と、を含んでいる。ダイオード２７２のカソード端子は、スイッチング素子２６０のソース端子Ｓとインダクタ２７４の一方の端子とに接続されており、アノード端子は、所定の電位（例えばグランド）に設定されている。インダクタ２７４の他方の端子は、コンデンサ２７６の一方の端子と発光部１０２Ｒに接続されている。コンデンサ２７６の他方の端子は、所定の電位（例えばグランド）に接続されている。なお、ダイオード２７２は、いわゆるフリーホイールダイオードであり、スイッチング素子２６０がオフ状態に設定された際にインダクタ２７４に電流を還流させる機能を有する。平滑化回路２７０は、ＰＷＭ信号Ｓ２を平滑化し、平滑化された電圧Ｖを出力する。この結果、発光部１０２Ｒは、電圧Ｖに応じた強度を有する光を射出する
【００５８】
図４は、発光制御部１９０によって生成される信号の概要を示す説明図である。図４（Ａ）は、ＰＷＭ信号生成回路２５０から出力されるＰＷＭ信号Ｓ１を示している。図４（Ｂ）は、スイッチング素子２６０から出力されるＰＷＭ信号Ｓ２を示している。図４（Ｃ）は、平滑化回路２７０から出力されて発光部１０２Ｒに印加される電圧Ｖを示している。図４（Ａ），（Ｂ）から分かるように、ＰＷＭ信号Ｓ２は、ＰＷＭ信号Ｓ１とほぼ同じパルス幅を有する信号であり、ＷＭ信号Ｓ２の最大値はほぼＶ0である。
【００５９】
期間Ｔａでは、２つの信号Ｓ１，Ｓ２のデューティ比は約５０％である。このため、該期間Ｔａでは、電圧Ｖは約１／２×Ｖ0に設定される。同様に、期間Ｔｂでは、２つの信号Ｓ１，Ｓ２のデューティ比は約７５％であるため、電圧Ｖは約３／４×Ｖ0に設定される。また、期間Ｔｃでは、２つの信号Ｓ１，Ｓ２のデューティ比は約２５％であるため、電圧Ｖは約１／４×Ｖ0に設定される。
【００６０】
図４（Ａ）〜（Ｃ）から分かるように、発光部１０２Ｒに印加される電圧Ｖは、信号Ｓ１，Ｓ２が比較的高いデューティ比を有する場合に比較的高い値に設定され、信号Ｓ１，Ｓ２が比較的低いデューティ比を有する場合に比較的低い値に設定される。
【００６１】
このように、補正済み光強度値と目標光強度値との関係に応じて、発光部１０２Ｒに印加される電圧Ｖが調整されれば、発光部１０２Ｒは、目標光強度値に応じた強度を有する赤色光を安定して射出することができる。そして、各発光部１０２Ｒ，Ｇ，Ｂが、対応する目標光強度値に応じた強度を有する色光を安定して射出することによって、プロジェクタＰＪは、安定した明るさおよび色調を有する画像を表示することができる。
【００６２】
具体的には、各発光部１０２Ｒ，Ｇ，Ｂから射出される光の強度は、各発光部の温度に応じて変化し得る。各発光部１０２Ｒ，Ｇ，Ｂから射出される光の強度が変化すると、プロジェクタＰＪによって表示される画像の明るさや色調が変化してしまう。
【００６３】
しかしながら、本実施例では、各光センサ１９２Ｒ，Ｇ，Ｂによって、対応する発光部１０２Ｒ，Ｇ，Ｂから射出される光の一部が検出されるため、各発光部から射出される光の強度がほぼ一定となるように各発光部を制御することができる。
【００６４】
ただし、各光センサ１９２Ｒ，Ｇ，Ｂの検出値は、図３で説明したように、各光センサの温度に応じて変化し得る。このため、本実施例では、光センサ１９２Ｒ，Ｇ，Ｂの温度を検出する温度センサ１９４Ｒ，Ｇ，Ｂが設けられている。そして、光センサ１９２Ｒ，Ｇ，Ｂの検出結果を、温度センサ１９４Ｒ，Ｇ，Ｂの検出結果を用いて補正することによって、発光部１０２Ｒ，Ｇ，Ｂから実際に射出される光の強度に関係する値（補正済み光強度値）を得ることができる。そして、補正済み光強度値を用いることにより、発光部１０２Ｒ，Ｇ，Ｂから射出される光の強度を適切に調整することができる。換言すれば、３つの発光部１０２Ｒ，Ｇ，Ｂは、目標光強度設定部２３０によって予め設定された３つの目標光強度値に応じた強度を有する３つの色光を安定して射出することができる。これにより、プロジェクタＰＪは、安定した明るさおよび色調を有する画像を表示することが可能となる。
【００６５】
特に、本実施例では、ユーザからの指示に応じて３つの目標光強度値を変更可能であるため、各発光部１０２Ｒ，Ｇ，Ｂにユーザの意図に整合する強度を有する色光を射出させることができ、この結果、プロジェクタＰＪにユーザの意図に整合する明るさおよび色調を有する画像を表示させることができる。
【００６６】
ところで、ＬＥＤから射出される光の強度は、ＬＥＤに供給される電流に応じて変化するため、ＬＥＤから射出される光の強度は、通常、電流を制御することによって調整される。しかしながら、ＬＥＤが電流で制御される場合には、特許文献１のように制御回路が比較的複雑な構成になると共に、制御回路の消費電流が比較的大きくなってしまう。一方、本実施例では、ＬＥＤを含む各発光部１０２Ｒ，Ｇ，Ｂから射出される光の強度は、電圧を制御することによって調整されている。このため、本実施例では、制御回路１７０（より具体的には発光制御部１９０）を比較的簡単な構成にすることができると共に、制御回路１７０の消費電流を比較的小さくすることができるという利点がある。
【００６７】
特に、本実施例では、補正済み光強度がデジタル形式で表されているため、デジタル形式で表された目標光強度を利用することができ、この結果、目標光強度の設定の自由度を高めることができる。したがって、目標光強度を容易に変更することができると共に、プロジェクタＰＪによって表示される画像の明るさおよび／または色調を容易に変更することができる。
【００６８】
なお、以上の説明から分かるように、本実施例における比較部２４０と目標光強度設定部２３０とＰＷＭ信号生成回路２５０とスイッチング素子２６０と平滑化回路２７０とが、本発明における調整部に相当する。特に、ＰＷＭ信号生成回路２５０とスイッチング素子２６０とが本発明におけるパルス幅変調信号生成部に相当し、平滑化回路２７０が本発明における印加電圧生成部に相当する。
【００６９】
Ｂ．第２実施例：
第１実施例では、各発光部１０２Ｒ，Ｇ，Ｂから射出される光の強度はほぼ一定に維持されているが、本実施例では、各発光部１０２Ｒ，Ｇ，Ｂから射出される光の強度は画像データに応じて変更される。以下では、第１実施例を比較例として用いつつ、本実施例について説明する。
【００７０】
図５は、第２実施例における処理の概要を示す説明図である。図５（Ａ）は、比較例（すなわち第１実施例）の処理の概要を示しており、図５（Ｂ）は、第２実施例の処理の概要を示している。なお、図５（Ａ），（Ｂ）では、図１に示す第１の発光部１０２Ｒおよび第１の液晶ライトバルブ１２０Ｒのみが示されている。
【００７１】
図５（Ａ）に示すように、比較例では、発光部１０２Ｒから射出される赤色光の強度はほぼ一定の強度に維持されている。この強度を、１００％の強度とする。液晶ライトバルブ１２０Ｒの透過率は、液晶ライトバルブ１２０Ｒに供給される赤色データに応じて変更される。図５（Ａ）では、赤色データに含まれるすべての画素データの階調値が上限値（例えば２５５）の８０％の値（例えば２０４（＝２５５×０．８））である場合を想定している。このため、液晶ライトバルブ１２０Ｒに含まれるすべての液晶素子の透過率は８０％に設定される。そして、図５（Ａ）では、液晶ライトバルブ１２０Ｒからは、８０％の強度を有する赤色光が射出される。
【００７２】
一方、図５（Ｂ）に示すように、本実施例では、発光部１０２Ｒから射出される赤色光の強度が低減されていると共に、液晶ライトバルブ１２０Ｒには、図５（Ａ）の赤色データに対して伸張処理が施された伸張済み赤色データが供給されている。ここで、伸張処理は、画像データに含まれる各画素データの階調値を増大させる処理を意味している。図５（Ｂ）では、発光部１０２Ｒから射出される光の強度は、８０％に低減されている。また、図５（Ｂ）では、伸張済み赤色データに含まれるすべての画素データの階調値は、上限値（例えば２５５）に設定されている。このため、液晶ライトバルブ１２０Ｒに含まれるすべての液晶素子の透過率は１００％に設定される。そして、図５（Ｂ）では、液晶ライトバルブ１２０Ｒからは、８０％の強度を有する赤色光が射出される。
【００７３】
上記のように、図５（Ａ）および図５（Ｂ）の双方において、液晶ライトバルブ１２０Ｒからは８０％の強度を有する赤色光が射出されている。ただし、図５（Ａ）では、発光部１０２Ｒから射出された光のうち、２０％の光が液晶ライトバルブ１２０Ｒで遮られて、熱に変換されている。一方、図５（Ｂ）では、発光部１０２Ｒから射出された光は液晶ライトバルブ１２０Ｒによって遮られないため、液晶ライトバルブ１２０Ｒの発熱を抑制することができる。また、図５（Ｂ）では、発光部１０２Ｒから射出される光の強度が低減されているため、発光部１０２Ｒの消費電力を低減することができる。
【００７４】
以下では、第２実施例の具体的な処理を説明する。第２実施例では、図１と同様のプロジェクタＰＪが利用される。ただし、制御回路１７０Ａが変更されている。図６は、第２実施例における制御回路１７０Ａの内部構成を示す説明図である。図６では、画像データ処理部１８０Ａの内部構成と発光制御部１９０Ａの内部構成とが示されている。
【００７５】
画像データ処理部１８０Ａは、解析部１８２と、伸張部１８４と、ガンマ補正部１８６と、デジタル−アナログ（ＤＡ）変換器１８８と、を備えている。比較例（第１実施例）の画像データ処理部１８０も、本実施例の画像データ処理部１８０Ａと同様の構成を有しているが、解析部１８２と伸張部１８４とは設けられていない。
【００７６】
なお、本実施例における伸張部１８４が、本発明における階調値増大部に相当する。
【００７７】
解析部１８２は、例えば、図示しないフレームメモリから読み出された３つの色データＲａ，Ｇａ，Ｂａを含む第１のデジタル画像データＦＤａを受け取り、該第１のデジタル画像データＦＤａを解析する。具体的には、解析部１８２は、色データＲａ，Ｇａ，Ｂａ毎に、各色データに含まれる複数の画素データの階調値のうち、最も大きな値（最大階調値）を求める。そして、解析部１８２は、３つの色データＲａ，Ｇａ，Ｂａに対応する３つの最大階調値を、伸張部１８４と発光制御部１９０Ａ内の目標光強度変更部２３２（後述する）とに供給する。
【００７８】
伸張部１８４は、解析部１８２から与えられた３つの最大階調値に応じて、第１のデジタル画像データＦＤａに含まれる３つの色データＲａ，Ｇａ，Ｂａに対して伸張処理を施す。例えば、画素データの階調値が０〜２５５の範囲で表され、１つの色データに含まれる最大階調値を有する特定の画素データの階調値が１５０である場合を想定する。このとき、伸張部１８４は、該特定の画素データの階調値を上限値２５５に増大させる係数２５５／１５０を、該１つの色データに含まれる各画素データの階調値に乗じる。このようにして、３つの色データＲｂ，Ｇｂ，Ｂｂを含む第２のデジタル画像データＦＤｂが生成される。
【００７９】
ガンマ補正部１８６は、第２のデジタル画像データＦＤｂに含まれる３つの色データＲｂ，Ｇｂ，Ｂｂに対して、３つの液晶ライトバルブ１２０Ｒ，Ｇ，Ｂに適したガンマ補正を施す。これにより、３つの色データＲｃ，Ｇｃ，Ｂｃを含む第３のデジタル画像データＦＤｃが生成される。なお、ガンマ値は、比較例（第１実施例）と同じ値が利用される。
【００８０】
ＤＡ変換器１８８は、３つの色データＲｃ，Ｇｃ，Ｂｃを含む第３のデジタル画像データＦＤｃに対してＤＡ変換を施す。これにより、３つの色データを含むアナログ画像データが生成され、該３つの色データは、液晶ライトバルブ１２０Ｒ，Ｇ，Ｂに供給される。
【００８１】
発光制御部１９０Ａは、比較例（第１実施例）の発光制御部１９０（図２）とほぼ同様であるが、目標光強度設定部２３０に代えて、目標光強度変更部２３２を備えている。図６では、各処理部２０２Ｒ，Ｇ，Ｂの図示はかなり簡略化されているが、各処理部２０２Ｒ，Ｇ，Ｂは、図２と同じ構成を有している。
【００８２】
なお、本実施例でも、各処理部２０２Ｒ，Ｇ，Ｂに含まれる補正部２２０および比較部２４０の機能と、目標光強度変更部２３２の機能とは、図示しないＣＰＵが図示しないメモリに格納されたコンピュータプログラムを実行することによって実現される。
【００８３】
目標光強度変更部２３２は、比較例（第１実施例）と同様に、３つの目標光強度値を３つの処理部２０２Ｒ，Ｇ，Ｂ内の３つの比較部２４０に供給する機能を有している。
【００８４】
ただし、本実施例では、比較例（第１実施例）において予め設定された３つの目標光強度値は、３つの基準光強度値として利用される。そして、目標光強度変更部２３２は、解析部１８２から与えられた３つの最大階調値を用いて３つの基準光強度値を修正し、修正済みの３つの基準光強度値を３つの目標光強度値として３つの比較部２４０に供給する。具体的には、目標光強度変更部２３２は、プロジェクタＰＪによって表示される合成済み画像を構成する各色画像の強度、換言すれば、各液晶ライトバルブ１２０Ｒ，Ｇ，Ｂから射出される各色光の強度が、比較例（第１実施例）と同じになるように、各発光部１０２Ｒ，Ｇ，Ｂに対応する目標光強度値を決定する。例えば、１つの色データの最大階調値が１５０である場合には、該色データに対応する目標光強度値は、基準光強度値に１５０／２５５を乗じた値に決定される。
【００８５】
なお、本実施例では、解析部１８２と伸張部１８４と目標光強度変更部２３２との処理は、１フレーム毎に実行される。
【００８６】
前述したように、比較例（第１実施例）では、画像データ処理部１８０は伸張部１８４を備えていない。このため、各液晶ライトバルブ１２０Ｒ，Ｇ，Ｂには、伸張処理が施されていない第１のデジタル画像データＦＤａ（図６参照）に基づいて生成されたアナログ画像データが供給される。このアナログ画像データを、以下では「非伸張画像データ」と呼び、該アナログ画像データに含まれる各色データを、以下では「非伸張色データ」と呼ぶ。一方、第２実施例では、画像データ処理部１８０Ａは伸張部１８４を備えている。このため、各液晶ライトバルブ１２０Ｒ，Ｇ，Ｂには、伸張処理が施された第２のデジタル画像データＦＤｂ（図６）に基づいて生成されたアナログ画像データが供給される。このアナログ画像データを、以下では「伸張済み画像データ」と呼び、該アナログ画像データに含まれる各色データを、以下では「伸張済み色データ」と呼ぶ。
【００８７】
図７は、比較例（第１実施例）における具体的な処理を示す説明図である。図７（Ａ）は、非伸張画像データに含まれる非伸張赤色データの階調値分布を示している。図７（Ｂ）は、該非伸張赤色データが供給されたときの液晶ライトバルブ１２０Ｒの透過率分布を示している。図７（Ｃ）は、スクリーン上に赤色画像が表示される際に発光部１０２Ｒから射出される赤色光の強度を示している。図７（Ｄ）は、スクリーン上に形成される赤色画像の強度分布を示している。
【００８８】
なお、図７（Ａ）〜（Ｄ）では、赤色画像の表示に関する処理が描かれているが、他の色画像の表示に関する処理も同様である。また、図７（Ａ）〜（Ｄ）では、左側に第１のフレームＦ１の赤色画像を表示する際の処理内容が描かれており、右側に第２のフレームＦ２の赤色画像を表示する際の処理内容が描かれている。そして、図７（Ａ），（Ｂ），（Ｄ）のそれぞれに描かれた各矩形枠の左端は、１つのフレームの赤色画像の左上端の画素に対応し、各矩形枠の右端は、該赤色画像の右下端の画素に対応する。
【００８９】
比較例では、伸張処理は実行されないため、図７（Ｂ）に示す液晶ライトバルブ１２０Ｒの透過率分布は、図７（Ａ）に示す非伸張赤色データの階調値分布とほぼ同じプロファイルを有している。
【００９０】
また、比較例では、目標光強度値は一定の値で維持されるため、図７（Ｃ）に示すように、発光部１０２Ｒから射出される光の強度はほぼ一定の強度（１００％の強度）で維持されている。
【００９１】
この結果、比較例では、図７（Ｄ）に示すように、赤色画像の強度分布は、非伸張赤色データの階調値分布（図７（Ａ））とほぼ同じプロファイルとなる。
【００９２】
図８は、第２実施例における具体的な処理を示す説明図であり、図７に対応する。ただし、図８（Ａ）は、伸張済み画像データに含まれる伸張済み赤色データの階調値分布を示している。なお、図８（Ａ）には、比較のため、図７（Ａ）の曲線が破線で描かれている。また、図８（Ｂ）は、該伸張済み赤色データが供給されたときの液晶ライトバルブ１２０Ｒの透過率分布を示している。なお、図８（Ｂ）には、比較のため、図７（Ｂ）の曲線が破線で描かれている。
【００９３】
第２実施例では、解析結果（最大階調値）に応じた伸張処理が実行される。この伸張処理により、階調値分布は、図７（Ａ）の分布から、図８（Ａ）の分布に変更される。例えば、図７（Ａ）において最大階調値を有する特定の画素データは、伸張処理後の図８（Ａ）において階調値２５５（上限値）を有している。この結果、液晶ライトバルブ１２０Ｒの透過率分布は、図７（Ｂ）の分布から、図８（Ｂ）の分布に変更される。例えば、図７（Ｂ）において最大の透過率を示す上記の特定の画素データに対応する特定の液晶素子は、伸張処理後の図８（Ｂ）において１００％の透過率を示している。なお、図８（Ｂ）に示す液晶ライトバルブ１２０Ｒの透過率分布は、図８（Ａ）に示す伸張済み赤色データの階調値分布とほぼ同じプロファイルを有している。
【００９４】
また、第２実施例では、解析結果（最大階調値）に応じて目標光強度値が変更される。この目標光強度値の変更により、発光部１０２Ｒから射出される光の強度は、図７（Ｃ）に示す１００％の強度から図８（Ｃ）に示す１００％未満の強度に低減される。具体的には、伸張処理によって階調値が増大する程、発光部１０２Ｒから射出される光の強度は低減される。
【００９５】
この結果、第２実施例では、図８（Ｄ）に示すように、赤色画像の強度分布は、図７（Ｄ）の強度分布とほぼ同じプロファイルとなる。
【００９６】
以上説明したように、本実施例では、解析結果（３つの最大階調値）に応じて、第１のデジタル画像データＦＤａに含まれる３つの色データＲａ，Ｇａ，Ｂａに対する伸張処理が独立して実行される。また、解析結果（３つの最大階調値）に応じて、３つの目標光強度値が独立して変更されて３つの発光部１０２Ｒ，Ｇ，Ｂから射出される光の強度が独立して低減される。さらに、本実施例では、比較例（第１実施例）と同様に、発光部１０２Ｒ，Ｇ，Ｂから射出される光の強度は、補正済み光強度値を用いて適切に調整されるため、３つの目標光強度値に応じた強度を有する３つの色光を安定して射出することができる。これにより、本実施例では、プロジェクタは、比較例（第１実施例）とほぼ同じ明るさおよび色調を有する画像を安定して表示することができる。また、本実施例では、前述したように、各液晶ライトバルブ１２０Ｒ，Ｇ，Ｂの発熱を低減することができると共に、各発光部１０２Ｒ，Ｇ，Ｂの消費電力を低減することができる。
【００９７】
なお、この発明は上記の実施例や実施形態に限られるものではなく、その要旨を逸脱しない範囲において種々の態様において実施することが可能であり、例えば次のような変形も可能である。
【００９８】
（１）上記実施例では、比較結果は、補正済み光強度値と目標光強度値とのうちのいずれが高いかを示すと共に、補正済み光強度値と目標光強度値との差分を示しているが、これに代えて、補正済み光強度値と目標光強度値とのうちのいずれが高いかのみを示していてもよい。このようにしても、補正済み光強度値を目標光強度値にほぼ一致させることができる。ただし、上記実施例のようにすれば、デューティ比を迅速に変更することができるため、補正済み光強度値が目標光強度値に達するまでの期間を短縮することができる。
【００９９】
（２）上記実施例では、３つの液晶ライトバルブ１２０Ｒ，Ｇ，Ｂが利用されているが、これに代えて、１つの液晶ライトバルブが利用されてもよい。この場合には、３つの発光部から射出される３つの色光が順次１つの液晶ライトバルブに入射するようにすればよい。なお、この場合には、１つの発光部から１つの色光が射出される期間には、他の２つの発光部からの２つの色光の射出は禁止される。発光部からの光の射出は、発光部に印加される電圧Ｖをゼロに設定することによって、禁止可能である。発光部に印加される電圧Ｖは、例えば、該発光部に対応するＰＷＭ信号生成回路２５０がＰＷＭ信号Ｓ１をゼロに設定することによって、あるいは、目標光強度設定部２３０，目標光強度変更部２３２が該発光部に対応する比較部２４０に与える目標光強度値をゼロに設定することによって、ゼロに設定可能である。
【０１００】
（３）上記実施例では、光センサは、発光部付近に設けられているが、これに代えて、液晶ライトバルブ付近に設けられていてもよいし、発光部と液晶ライトバルブとの間の光路に設けられていてもよい。すなわち、光センサは、発光部から射出された光のうちの少なくとも一部が入射するように設けられていればよい。
【０１０１】
（４）上記実施例では、発光部は、ＬＥＤを備えているが、これに代えて、半導体レーザなどの他の固体光源を備えていてもよい。
【０１０２】
また、上記実施例では、プロジェクタは、３つの色光を射出する３つの発光部を備えているが、これに代えて、３つの色光を含む光を射出する１つの発光部（例えば水銀ランプやハロゲンランプ）と、該発光部から射出された光を３つの色光に分離する分離部（例えばフィルタ）と、を備えていてもよい。
【０１０３】
（５）上記実施例では、プロジェクタはカラー画像を表示しているが、これに代えて、モノクロ画像を表示するようにしてもよい。一般には、画像表示装置は、光源装置と、制御装置と、光変調装置と、を備えていればよい。この場合にも、画像表示装置に充分に安定した明るさを有する画像を表示させることができる。
【０１０４】
（６）上記実施例では、液晶ライトバルブ１２０Ｒ，Ｇ，Ｂを備えるプロジェクタＰＪに本発明が適用されているが、これに代えて、ＤＭＤ（ディジタル・マイクロミラー・デバイス）（ＴＩ社の商標）などのマイクロミラー型光変調デバイスを備えるプロジェクタに本発明が適用されてもよい。
【０１０５】
（７）上記実施例では、本発明の制御装置はプロジェクタに適用されているが、これに代えて、露光装置や光を利用する測定装置などの充分に安定した強度を有する光が必要な種々の装置に適用可能である。また、上記実施例では、本発明の画像表示装置はプロジェクタに適用されているが、これに代えて、直視型のディスプレイに適用されてもよい。
【０１０６】
（８）上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【０１０７】
【図１】第１実施例におけるプロジェクタＰＪの概略構成を示す説明図である。
【図２】制御回路１７０の内部構成を示す説明図である。
【図３】光センサの温度依存性を示すグラフである。
【図４】発光制御部１９０によって生成される信号の概要を示す説明図である。
【図５】第２実施例における処理の概要を示す説明図である。
【図６】第２実施例における制御回路１７０Ａの内部構成を示す説明図である。
【図７】比較例における具体的な処理を示す説明図である。
【図８】第２実施例における具体的な処理を示す説明図である。
【符号の説明】
【０１０８】
１０２Ｒ，Ｇ，Ｂ…発光部
１１０Ｒ，Ｇ，Ｂ…照明光学系
１２０Ｒ，Ｇ，Ｂ…液晶ライトバルブ
１３０…クロスダイクロイックプリズム
１４０…投写光学系
１７０，１７０Ａ…制御回路
１８０，１８０Ａ…画像データ処理部
１８２…解析部
１８４…伸張部
１８６…ガンマ補正部
１８８…ＤＡ変換器
１９０，１９０Ａ…発光制御部
１９２Ｒ，Ｇ，Ｂ…光センサ
１９４Ｒ，Ｇ，Ｂ…温度センサ
２０２Ｒ，Ｇ，Ｂ…処理部
２１２，２１４…アナログ−デジタル変換器
２２０…補正部
２３０…目標光強度設定部
２３２…目標光強度変更部
２４０…比較部
２５０…パルス幅変調信号生成回路
２６０…スイッチング素子
２７０…平滑化回路
２７２…ダイオード
２７４…インダクタ
２７６…コンデンサ
ＰＪ…プロジェクタ
【図１】
2008034190.tif 000003
【図２】
2008034190.tif 000004
【図３】
2008034190.tif 000005
【図４】
2008034190.tif 000006
【図５】
2008034190.tif 000007
【図６】
2008034190.tif 000008
【図７】
2008034190.tif 000009
【図８】
2008034190.tif 000010